(57)【特許請求の範囲】
【請求項１】
等しい長さを有するＮ本（ここに、Ｎ≧４の偶数）のテーブル脚と、これら隣接する各テーブル脚同士をそれぞれ角度変更可能な状態で相互に連結する少なくともＮ本の横桟とからなり、前記各テーブル脚を頂点としてその左右に位置する前記各横桟により形成される挟角を適宜変更することにより、そのテーブル天板の平面形状の変更に対して対応可能である形状可変テーブル脚組立体において、
前記テーブル脚が、下方にアジャスターを受容するネジ孔およびその上端に回転中心体を受容するネジ孔をそれぞれ具備し、そして隣接するテーブル脚の対応部分との間を連接する第１の横桟を固着した下方組立体と、前記回転中心体を受容する貫通孔が形成され、そして隣接するテーブル脚の対応部分との間を連接する第２の横桟を固着した上方組立体と、下方に回転中心体が延在していて、該回転中心体が前記上方組立体に形成された貫通孔を介して上方組立体および下方組立体を連結する脚頂部材と、を具備することを特徴とする形状可変テーブル脚組立体。
【請求項２】
等しい長さを有するＮ本（ここに、Ｎ≧４の偶数）のテーブル脚と、これら隣接する各テーブル脚同士をそれぞれ角度変更可能な状態で相互に連結する少なくともＮ本の横桟とからなり、前記各テーブル脚を頂点としてその左右に位置する前記各横桟により形成される挟角を適宜変更することにより、そのテーブル天板の平面形状の変更に対して対応可能である形状可変テーブル脚組立体において、
前記テーブル脚が、下方にアジャスターを受容するネジ孔を具備し上方に回転中心体をなすボルトの頭部を固着し、そして隣接するテーブル脚の対応部分との間を連接する第１の横桟を固着した下方組立体と、前記回転中心体を受容する貫通孔が形成され、そして隣接するテーブル脚の対応部分との間を連接する第２の横桟を固着した上方組立体と、下方に回転中心体の端部を受容するネジ孔を具備したナットを備え、該ナットを締めつけることにより該回転中心体が前記上方組立体に形成された貫通孔を介して上方組立体と下方組立体を連結する脚頂部材と、を具備することを特徴とする形状可変テーブル脚組立体。
【請求項３】
前記テーブル脚頂部材が、テーブル天板を載置するための支持金具を回転可能に配設し、上端面にテーブル天板を係止するためのダボを具備することを特徴とする請求項１または２のいずれかに記載の形状可変テーブル脚組立体。
【請求項４】
前記回転中心体の周囲であって前記上方組立体の貫通孔の内部には、前記下方組立体と上方組立体とを離隔せしめるように作用するコイルバネが配設され、前記脚頂部材を緩めた際に前記両組立体に連結された各横桟によって形成される角度の変更を容易にすることを特徴とする請求項１ないし３のいずれかに記載の形状可変テーブル脚組立体。
【請求項５】
前記テーブル天板の平面形状が、正三角形、長方形、正６角形のいずれかであることを特徴とする請求項１ないし４のいずれかに記載の形状可変テーブル脚組立体。
【発明の詳細な説明】
【０００１】
【発明の属する技術分野】
本発明は、テーブル脚組立体に関し、特にテーブル天板の平面形状に応じてその形状を適宜変更することができる形状可変テーブル脚組立体に関する。
【０００２】
【従来の技術】
通常のテーブル天板の平面形状は、正方形、長方形、円形、小判形、楕円形等の各種形状のものが広く知られており、通常はいずれか特定の形状に組立てられている。しかしながら、ホテル、宴会場、会議場等において各種行事や催し物、又は会議等に応じて機能的な形状が異なりさらには使用場所の雰囲気の点からも、異なる形状のテーブルが必要となる場合がある。
【０００３】
このような要求に対して、通常はそれぞれ形状の異なる一定形状のテーブルを用意しておき、必要に応じてこれらを使い分けるような方策がとられていた。しかしながら、このような一定形状のテーブルをその都度入れ換えるためには多大な労力および時間を必要とする。また、通常の固定式テーブルにあっては、不要なテーブルを収納しておくスペースとしても広大な空間を必要とし、使用場所よりも離れた物置、例えば地下室や別棟の倉庫等が必要となることになり不経済であった。
【０００４】
会議室、集会場、ロビー等において使用する場合に、テーブルを折り畳み式として不使用時には折り畳んで片づけておき、使用時にこれを展開して配設することも多い。しかし、この種折り畳み式テーブルは折り畳み機構に種々の難があり、がたつきや異音発生の原因となり易く、雰囲気を重視する宴会場やホテル等での使用に適する高級感を備えたものを得るのは容易ではない。
【０００５】
また、たとえ折り畳み式であっても、収納がやや有利であるものの、テーブル天板の形状は固定であり、雰囲気や用途に適合する任意形状のテーブルをその都度選定して使用することは困難である。
【０００６】
【発明が解決しようとする課題】
本発明は、上記事情を考慮してなされたものであり、各種形状のテーブル天板を用意しておき、必要に応じて任意形状のテーブル天板に適合せしめることにより、用途や雰囲気に適合する異なる形状のテーブルを構成することができる形状可変テーブル脚組立体を提供することを課題とする。
【０００７】
【課題を解決するための手段】
本発明の上記課題は、図３に示すように、等しい長さを有するＮ本（ここに、Ｎ≧４の偶数）のテーブル脚１０と、これら隣接する各テーブル脚同士をそれぞれ角度変更可能な状態で相互に連結する少なくともＮ本の横桟１８とからなり、前記各テーブル脚１０を頂点としてその左右に位置する前記各横桟１８により形成される挟角を適宜変更することにより、そのテーブル天板の平面形状が変更可能である形状可変テーブル脚組立体において、前記テーブル脚１０は、前記テーブル脚が、下方にアジャスター１０Ｃを受容するネジ孔およびその上端に回転中心体１２を受容するネジ孔１４をそれぞれ具備し、そして隣接するテーブル脚の対応部分との間を連接する第１の横桟１８を固着した下方組立体１０Ｂと、前記回転中心体１２を受容する貫通孔が形成され、そして隣接するテーブル脚の対応部分との間を連接する第２の横桟１８を固着した上方組立体１０Ａと、下方に回転中心体１２が延在し、該回転中心体が前記上方組立体に形成された貫通孔を介して上方組立体および下方組立体を連結する脚頂部材１６と、を具備する形状可変テーブル脚組立体によって解決される。
【０００８】
本発明にかかる形状可変テーブル脚組立体を構成するテーブル脚１０は、円柱や四角柱はもとより、６角柱、８角柱等の多角柱等のいずれであってもよい。また材質も、金属、プラスチック、木材、これらの組み合わせ等として適宜選定可能である。しかしながら、後述するようにテーブル脚上部に配設されるテーブル天板は、重厚なガラス板、加工された大理石等の石板、堅木材の木板、集成材板、プラスチック板、合板等で構成することができ、テーブルの大きさにもよるが、かなり重量の嵩むものとなる。したがって、テーブル脚はしかるべき強度を保持するものが選定されるべきである。
【０００９】
横桟１８は、テーブル脚１０に対して加わる不均衡作用力によって捩じれモーメントが生じ、脆弱な材料の場合には、テーブル脚組立体全体を歪ませて転倒せしめる事態を防止する機能がある。これら横桟のテーブル脚への取り付けは溶接等により強固に行うべきである。また、これら横桟はテーブル脚の上部同士および下部同士を相互に連結するように、上下１対の横桟で連結するように形成することも可能である。このようにテーブル脚に取り付ける横桟は複数本とすることができる。
【００１０】
テーブル脚の数および横桟数Ｎは４以上の偶数であるが、４の場合は、テーブル天板の形状は方形と菱形に限られる。そこでＮを６とし、前記横桟を等長部材とすることにより、正三角形、縦横比が１：２の長方形、正６角形、正８角形のテーブルを容易に形成することができる。さらに、テーブル天板を支持するには、テーブル脚の上端面に載置する構造、テーブル脚の上端より僅か低い内側面に支持金具１７を取り付け、テーブル天板の上表面をテーブル脚の上端面に合わせる構造等が採用可能である。
【００１１】
なお、テーブル脚１０の上端面に載置する構造にあっては、テーブル天板をテーブル脚組立体全体によって形成される投影面積よりも広い面積のものとし、あるいはテーブル脚組立体にほぼ等しい面積のものとすることができる。また、構造は若干複雑化するが、脚数Ｎを８またはそれ以上とすることも可能である。
【００１２】
また、本発明の課題は、図４に示すように、等しい長さを有するＮ本（ここに、Ｎ≧４の偶数）のテーブル脚１０と、これら隣接する各テーブル脚同士をそれぞれ角度変更可能な状態で相互に連結する少なくともＮ本の横桟１８とからなり、前記各テーブル脚１０を頂点としてその左右に位置する前記各横桟１８により形成される挟角を適宜変更することにより、そのテーブル天板の平面形状が変更可能である形状可変テーブル脚組立体において、前記テーブル脚１０は、下方にアジャスター１０Ｃを受容するネジ孔を具備し上方に回転中心体１２を構成するボルトの頭部２４を固着し、そして隣接するテーブル脚の対応部分との間を連接する第１の横桟１８を固着した下方組立体１０Ｂと、前記回転中心体１２を受容する貫通孔が形成され、そして隣接するテーブル脚の対応部分との間を連接する第２の横桟１８を固着した上方組立体１０Ａと、下方に回転中心体の端部を受容するネジ孔を具備したナット２５を備え、該ナットを締めつけることにより該回転中心体が前記上方組立体に形成された貫通孔を介して上方組立体と下方組立体を連結する脚頂部材１６と、を具備する形状可変テーブル脚組立体によって解決される。
【００１４】
また、本発明にかかるテーブル脚頂部材１６は、テーブル天板を載置するための支持金具１７を回転可能に配設し、上端面にテーブル天板を係止するためのダボ１９を具備することを特徴とする。
【００１５】
そして、本発明にかかる前記回転中心体１２の周囲であって前記上方組立体１０Ａの貫通孔の内部には、下方組立体と下方組立体とを互いに離隔せしめるように作用するコイルバネ１１が配設され、前記脚頂部材１６を緩めた際に前記両組立体に連結された各横桟１８によって形成される挟角の変更を容易にすることを特徴とする。また本発明においては、両横桟、下方組立体ならびに上方組立体の適宜部位に、両横桟間の相対的に挟角の角度を示す表示手段を設けることができる。これにより所望のテーブル平面形状を構成するための両横桟１８の位置決めが容易となる。
【００１６】
このような構成のテーブル脚１０によれば、本発明にかかる形状可変テーブル脚組立体に載置するテーブル天板の平面形状を適宜変更可能となり、また両横桟１８が脚組立体を安定させると共に、目的とする各形状毎に必要となる両横桟間の相対的な挟角を決定して両横桟の位置決めを容易にでき所望の平面形状を形成することが可能となる。
【００１７】
このような構成を有する１つのテーブル脚組立体に対して、正三角形、円形、楕円形、長方形、菱形等の各種天板を揃えておくことにより、テーブルを使用する目的、用途、設置箇所の床面積、利用人数等に適合するテーブル形状が適宜選択可能となる効果が得られる。また、これらのテーブル脚組立体およびテーブル天板は簡単に取り外し可能である上、テーブル脚組立体は細長い形状に変形可能であり、さらにテーブル天板は平板であるため、それぞれ限られた容積の場所に重ね合わせて収納することができる。
【００１８】
【発明の実施の形態】
以下、添付図を参照しつつ本発明の実施の形態について詳述する。図１は、本発明にかかる形状可変テーブル脚組立体においてＮ＝６の場合の基本構成の主要部を説明するための展開図である。図に示すように、本発明にかかる６本のテーブル脚１０は、下方組立体１０Ｂ、その組立体１０Ｂから上方に伸長する破線で示した回転中心体（中心材）１２の回りを回転可能な上方組立体１０Ａ、および脚頂部材１６から構成される。
【００１９】
上方組立体１０Ａおよび下方組立体１０Ｂには、それぞれ隣接するテーブル脚１０の対応する部材との間を横桟１８が、溶接またはネジ止め等の適宜手段により強固に固着されている。図の左右端に示した横桟１８の各Ｘ部は一体の横桟を開示の便宜上切断して図示したものである。さらに、テーブル脚１０は、これらの構成の他に、下端部には床との接触状態を微調整するアジャスター１０Ｃを備えている。このアジャスター１０Ｃは高低差の大きい設置場所にも対応できるようにネジ形成部を長くする（図４参照）と都合がよい。なお、図示していないテーブル天板を載置するに適した頂部付近の構造にも特徴を有するが、図１においては省略している。
【００２０】
このように構成されたテーブル脚組立体は、各テーブル脚の回転中心体１２を中心として、上方組立体１０Ａを適宜角度に変位せしめることができる。したがって、テーブル脚１０を頂点として、両横桟１８によって形成される挟角は、任意に変更することができる。また、両横桟、下方組立体ならびに上方組立体の適宜部位に、目的とするテーブル平面形状毎に必要となる両横桟間の相対的に挟角の角度を示す表示手段（形状と目盛りとの関係の表示）またはクリック手段（操作時の手触りまたはクリック音で角度が明らかになる手段）等を設けることができる。これにより所望のテーブル平面形状を構成するための両横桟１８の位置決めがさらに容易となる。
【００２１】
図２は、等長の横桟１８を使用した本発明にかかる形状可変テーブル脚組立体によって形成される代表的平面形状の例を示す平面図である。図２（Ａ）は、テーブル脚１０ａを頂点として両横桟１８によって形成される挟角を６０°とし、中間のテーブル脚１０ｂにおける横桟１８の挟角を１８０°（直線状）として正三角形を構成したテーブル平面形状の例である。
【００２２】
図２（Ｂ）は、テーブル脚１０ｃにおける挟角を９０°とし、上下中間のテーブル脚１０ｂに位置する横桟１８の挟角を１８０°として縦横比１：２の長方形を構成した例である。また、図２（Ｃ）は、各テーブル脚１０ｄにおける横桟１８の挟角をそれぞれ１２０°として正６角形を構成した例である。
【００２３】
これらの実施の形態から明らかなように、本発明にかかる形状可変テーブル脚組立体では、テーブル脚１０を挟む両横桟１８の挟角を適宜変更することにより、種々の平面形状のテーブルを構成することができる。また必要に応じて、一部テーブル脚１０の挟角を変更することにより、異なる形状の４角形、５角形、６角形等の平面形状を構成することも可能である。さらに、横桟１８を、例えば入れ子式等として伸縮可能に構成することにより、さらに多種多様な平面形状を構成することもできる。
【００２４】
図３は、本発明にかかる形状可変テーブル脚組立体のテーブル脚１０の構成例を示す断面図である。下方組立体１０Ｂは、本実施例では、アルミ（合金製）パイプの下部及び上部付近にそれぞれ金属製の部材１５が挿入されており、下方の部材１５にはアジャスター１０Ｃを受容するネジ孔が配設され、上方の部材１５には回転中心体１２を受容する孔（本実施例ではナット１４を溶接している）が配設されている。このように、金属製の部材１５は、上方および下方の脚本体を形成するパイプを補強すると共に、ネジ孔を形成しさらには各横桟１８を溶接する際の受け材としても機能する。また、パイプとして薄鋼管を使用することもできる。
【００２５】
上方組立体１０Ａの上下付近に配設された金属製の部材１５には、回転中心体１２を貫通せしめるための貫通孔がそれぞれ形成されている。また、この貫通孔内で回転中心体１２の周囲には、スリーブ１３によって周囲を保持されたコイルバネ１１が挿通せしめられている。このコイルバネ１１は、上方組立体１０Ａと下方組立体１０Ｂとを相互に離隔するように作用し、脚頂部材１６を緩めた際に、各横桟１８によって形成される角度の変更を容易にするように機能する。
【００２６】
また、下方組立体１０Ｂの上部付近側面および上方組立体１０Ａの下部付近側面には、第１および第２の横桟１８が、金属製の部材１５を受け材として溶接等の手段により固着されている。これら各横桟１８は、両側に位置するテーブル脚同士の平行を保つために重要な役割を果たすものであり、捩じれや撓みの発生が少ない部材であることが望ましい。なお、このような横桟を、強度向上のため上下に平行して複数配設することも可能であるが、詳述は省略する。
【００２７】
脚頂部材１６の下方には、回転中心体１２が延在しており、上方組立体１０Ａの貫通孔、スリーブ１３および下方組立体１０Ｂ上方の孔を貫通して、下方組立体１０Ｂ上方に配設されたネジ孔（ナット１４）によって締結される。また、脚頂部材１６は、上方組立体１０Ａの上方に支持金具１７（図３の（Ａ）の上方および（Ｂ）参照）を介在せしめて締結される。
【００２８】
この支持金具１７は、図２に示したテーブル脚組立体の平面外形よりも小さい寸法のテーブル天板を載置して使用する際に使用するものである。したがって、図２に示した各テーブル天板の平面外形の内側に支持金具１７の長辺１７Ｌが指向するように設定される。
【００２９】
また、脚頂部材１６の上端面には、必要に応じてダボ１９を配設することができる。このダボ１９は、図２に示した各テーブル天板の平面外形よりも大きい寸法のテーブル天板を載置して使用する際に、テーブル天板の外縁部または天板下面のダボ受けに係合せしめ、テーブル天板とテーブル脚組立体との係合を確実にしようとするものである。
【００３０】
このように、脚頂部材１６の上端面に配設されたダボ１９を利用して、テーブル天板を載置する実施の形態にあっては、図２に示した各平面外形に拘束されることなく、異なる寸法および形状のテーブルを構成することができる。例えば、テーブル脚組立体の構成が正三角形である図２（Ａ）に対して、正方形、各角部分が切り落とされた６角形、三角形等種々のテーブル天板を載置することも可能である。
【００３１】
同様に、テーブル脚組立体の構成が長方形である図２（Ｂ）においては、長円形や楕円形等とすることができ、また、テーブル脚組立体の構成が正６角形の図２（Ｃ）においては、正方形や円形とすることも可能である。
【００３２】
図４は、本発明にかかる形状可変テーブル脚組立体のテーブル脚１０の他の構成例を示す断面図である。本構成例が図３に示す前記構成例と相違する点は、脚頂部材１６の下方に回転中心体１２の端部（図では上方部）を受容するネジ孔を具備したナット２５を備えている点、および回転中心体１２を端部にネジ山を形成したボルトとして構成し、該ボルトの頭部２４を下方組立体１０Ｂの上方に溶接等により固着した構成とした点である。この構成例は、回転中心体１２を、下方にナット２５を備えた脚頂部材１６とボルト部材の２部材として、脚頂部材１６を単品として製造することを考慮したものである。
【００３３】
前記したように脚頂部材１６の上端面にはダボ１９を配設したり、また、器具を利用してこの脚頂部材１６を緩めたり締め付けるための５角形状等の面取（内部形成または外側形成のいずれでもよい）する必要がある。また、脚頂部材１６の上端面は使用するテーブル天板の形状によってはテーブル利用者の目に付く部分となるために、会場の雰囲気やテーブル天板の色、模様等とマッチさせる必要がある。このように、この脚頂部材１６には種々の細工を施すことを求められる場合があり、各種の色、模様、形状等の脚頂部材を予め多数用意しておくと都合がよい。そこで、この脚頂部材をできるだけ低いコストで製造できるように、１つの小さい部材とすることを指向するものである。
【００３４】
本発明にかかる形状可変テーブル脚組立体にあっては、２本の脚本体間に横桟を溶接することによって構成される略コ字状の下方組立体および上方組立体を予め形成しておき、これらを合体させることによって任意脚数のテーブル脚組立体とすることができる。
【００３５】
図５は、下方組立体と上方組立体とを、回転中心体１２を延在せしめた脚頂部材１６によって組み立てる際の手順例を図示したものである。図左側においては、上方組立体Ａの右側脚が下方組立体Ａの左側脚の上方に載置され、脚頂部材１６によって締結されたことを示している。
【００３６】
図中央においては、下方組立体Ａの右側脚の上方に、上方組立体Ｂの左側脚が載置され、脚頂部材１６によって締結されようとしている状態を示している。また、図右側においては、下方組立体Ｂの左側脚の上方に上方組立体Ｂの右側脚が載置されようとしており、さらに、上方組立体に形成された貫通孔内に脚頂部材１６が挿通されようとしている状態を図示している。なお、上方組立体に形成された貫通孔内には、脚頂部材１６を挿通する前に、コイルバネ１１およびスリーブ１３が嵌め込まれる。
【００３７】
なお、前記他の構成例における組み立てる際の手順例では、回転中心体１２の一部を構成するボルトの頭部２４を下方組立体１０Ｂの上方に溶接等により固着する。次いで、ボルト頭部の上方に突出する回転中心材にコイルバネ１１、スリーブ１３を嵌め込む。そして上方組立体を載置した後に脚頂部材１６を回転中心材の上部にネジ込むことにより組立が完了する。
【００３８】
【発明の効果】
本発明にかかる形状可変テーブル脚組立体によれば、各テーブル脚を頂点とする両横桟の挟角を適宜変更することによって、変化に富んだテーブルの平面外形を形成することができる。これに伴って、対応するテーブル天板を選択して載置することにより、印象、雰囲気、使い勝手等のそれぞれ異なる多様な形状可変のテーブルを構成することができる。このような形状可変のテーブルは、ホテル、宴会場、会議場等において、参加人数、利用目的、配列等に応じて適宜相応しい形状に構成することができる。
【００３９】
また、テーブル天板の種類、形状、材質等との組み合わせ（ユニット）が任意に選択可能である上、テーブル天板の保管が容易であることから、多種類および／または多数保有することができる。したがって、収納場所の制約も少なくなり、必要に応じてテーブル天板の更新、買換え、補充、異なる形状の追加等が廉価かつ容易に行い得る効果が得られる。
【図面の簡単な説明】
【図１】本発明にかかる形状可変テーブル脚組立体の構成例を説明する展開説明図である。
【図２】本発明にかかる形状可変テーブル脚組立体により構成されるテーブル脚の外形平面図である。
【図３】本発明にかかる形状可変テーブル脚組立体を構成するテーブル脚の構成例を示す断面図である。
【図４】本発明にかかる形状可変テーブル脚組立体を構成するテーブル脚の他の構成例を示す断面図である。
【図５】本発明にかかる形状可変テーブル脚組立体の下方組立体と上方組立体とを脚頂部材によって組み立てる際の手順例を示す図である。
【符号の説明】
１０    テーブル脚
１０Ａ  上方組立体
１０Ｂ  下方組立体
１０Ｃ  アジャスター
１１    コイルバネ
１２    回転中心体（中心材）
１３    スリーブ
１４    ネジ孔（ナット）
１５    金属部材
１６    脚頂部材
１７    支持金具
１７Ｌ  支持金具長辺
１８    横桟
１９    ダボ
２４    ボルト頭部
２５    ナット
【図１】
0003607544.tif 000002
【図２】
0003607544.tif 000003
【図３】
0003607544.tif 000004
【図４】
0003607544.tif 000005
【図５】
0003607544.tif 000006